(57)【要約】【課題】点滴スタンドの支柱を傷つけることなく把手本体を確実に固定する。【解決手段】把手本体が、患者が持つための把手部と、点滴スタンドの支柱を挿通させる挿通部からなり、この挿通部に面して開口する弾性部材収容部を把手本体の外周側に設け、把手本体の外周側面から前記弾性部材収容部に貫設したネジ穴に締付ハンドルを螺着し、前記弾性部材収容部に支柱との当接面に弾力性素材からなる当板を有する弾性部材を収容して、前記締付ハンドルの締め付けにより弾性部材を点滴スタンドの支柱に押圧して把手本体を支柱に固定するようにして点滴スタンドの把手を構成した。【選択図】図１
2014033912.tif 000002
【特許請求の範囲】
【請求項１】
把手本体は、患者が持つための把手部と、点滴スタンドの支柱を挿通させる挿通部からなり、この挿通部に面して開口する弾性部材収容部を把手本体の外周側に設け、把手本体の外周側面から前記弾性部材収容部に対して水平方向に貫設したネジ穴に締付ハンドルを螺着し、前記弾性部材収容部に支柱との当接面に弾力性素材からなる当板を有する弾性部材を収容して、前記締付ハンドルの締め付けにより弾性部材を点滴スタンドの支柱に押圧して把手本体を支柱に固定するようにしたことを特徴とする点滴スタンドの把手。
【請求項２】
上記弾性部材は、剛性板と弾力性素材からなる当板とを重ねてなり、剛性板に上記締付ハンドルのボルト部の先端が当接し、弾力性素材からなる当板が支柱に当接するように上記弾性部材収容部に収納した請求項１記載の点滴スタンドの把手。
【請求項３】
上記把手本体は、上下一対の半割体からなり、ボルトによって合体固定するもので、上下の半割体を合わせる際に上記弾性部材収容部に弾性部材を収容するとともに、上記締付ハンドルを螺着するネジ穴を形成するネジ穴部材を挟定するようにした請求項１又は請求項２記載の点滴スタンドの把手。
【発明の詳細な説明】
【技術分野】
【０００１】
この発明は、キャスター付きの点滴スタンドの移動を容易にするために当該点滴スタンドの支柱に取り付ける把手（ハンドル）の改良に関するものである。
【背景技術】
【０００２】
現在、病院、診療所などの医療現場で点滴スタンドが広く利用されている。現在使用されている点滴スタンドの多くは、その脚部にキャスターを備え、点滴を受けている患者等とともに移動可能となっている。
【０００３】
従来、点滴スタンドを移動させる場合、点滴スタンドの支柱をそのまま掴んで移動させることが行われていたが、点滴スタンドには点滴容器からチューブが垂れ下がっているため、支柱と一緒にそのチューブを掴んでしまって点滴作業に支障を来したり、また、掴む位置がよくない場合にはキャスターが引っ掛かって点滴スタンドがスムーズに動かないなどの問題があった。
【０００４】
そのため、近年では、多くの点滴スタンドには把手を備え、点滴スタンドの移動を容易にする工夫がなされている。そして、この把手は、例えば特許文献１に開示されているように、患者の身長や体格に合わせて、その高さや向きを任意に設定することが可能となっていることが多い。
【先行技術文献】
【特許文献】
【０００５】
【特許文献１】実公昭６１−２２５９３号公報
【発明の概要】
【発明が解決しようとする課題】
【０００６】
従来のこの種の把手の構成を［図４］に従って説明すると、把手本体２１に把手部２２と、挿通部２３とが設けられ、挿通部２３に点滴スタンドの支柱（Ｐ）を挿通するとともに、挿通部２３の側壁に貫通して設けられたネジ穴に、締付ハンドル２４のボルト２５を螺合し、ボルト２５の先端を前記支柱（Ｐ）に当接させて締め付け、把手本体２１の上下動を規制するようにしたものである。そして、従来のかかる構成では、締付ハンドルのボルト２５の先端はむき出しの金属であり、取付位置を変更するたびに、締め付けられた支柱（Ｐ）には無数の傷がつくものであった。
【０００７】
しかしながら、近年、院内感染等の発生のリスクがあることから、使用される医療器具は、常に消毒・殺菌の処理を行っている。特に点滴スタンドは、患者の血液等が付着することもあり、高度な殺菌・消毒処理が必要な場合も生じている。このとき、支柱に細かな傷があると、細菌がそれらの溝に入り込んで残存し、減菌効果が低下して院内感染のリスクが上昇するという問題が発生する。
【０００８】
なお、一部にはボルトの先端に柔軟な部材を取付けたものもあるが、このような構成では支柱の挿通孔の内側にこの先端部分の退避スペースを設ける必要があり、締め付け部が嵩高くなるという問題が残る。また、先端の柔軟部材がボルトのネジ穴よりも大きくなるので、取り付けに手間がかかり作業性がよくないという問題もある。
【０００９】
本願発明に係る点滴スタンドの把手は、かかる問題点を解決するために発明をしたものであって、簡単な構成で点滴スタンドの支柱を傷つけることなく把手本体を確実に固定できるようにしたものである。
【課題を解決するための手段】
【００１０】
上記従来の課題を解決するため、本発明は、把手本体が、患者が持つための把手部と、点滴スタンドの支柱を挿通させる挿通部からなり、この挿通部に面して開口する弾性部材収容部を把手本体の外周側に設け、把手本体の外周側面から前記弾性部材収容部に貫設したネジ穴に締付ハンドルを螺着し、前記弾性部材収容部に支柱との当接面に弾力性素材からなる当板を有する弾性部材を収容して、前記締付ハンドルの締め付けにより弾性部材を点滴スタンドの支柱に押圧して把手本体を支柱に固定するようにして点滴スタンドの把手を構成した。
【００１１】
かかる構成によれば、締付ハンドルを締め付けると、弾性部材の弾力性素材からなる当板が支柱に当接してこれを押圧するようにしたので、直接締付ハンドルの先端部分が当接することを防止する。
【００１２】
また、上記弾性部材は、剛性板と弾力性素材からなる当板とを重ねてなり、剛性板に上記締付ハンドルのボルト部の先端が当接し、弾力性素材からなる当板が支柱に当接するように上記弾性部材収容部に収納するという手段を採用した。
【００１３】
さらに、上記把手本体は、上下一対の半割体からなり、ボルトによって合体固定するもので、上下の半割体を合わせる際に上記弾性部材収容部に弾性部材を収容するとともに、上記締付ハンドルを螺着するネジ穴を形成するネジ穴部材を挟定するという手段を採用した。
【００１４】
把手本体を半割体としたことで、収容した弾性部材の交換が可能であり、また、分解しての殺菌・消毒処理が容易となる。
【発明の効果】
【００１５】
上記構成の本願発明に係る点滴スタンドの把手は、締付ハンドルの支柱との当接部分に弾性部材を介在させることが出来るようにしたので、支柱を傷つけることがなく、院内感染等のリスクを大幅に低減させるという格別の効果が期待できる。
【００１６】
また、締付ハンドルの締め付けにより、支柱に対して、その上下の高さ位置や水平方向の回転位置を自由に設定できるので、患者の身長や体格等に合わせて、その高さや向きを適切に設定することが可能である。
【００１７】
さらに、把手本体を半割体で構成することで、弾性部材の交換が容易であり、また、殺菌・消毒処理も効果的に行うことが出来る。
【図面の簡単な説明】
【００１８】
【図１】本発明に係る点滴スタンドの把手の斜視図である。
【図２】同じく、その平面図である。
【図３】点滴スタンドの把手の構成を示す分解斜視図である。
【図４】従来の点滴スタンドの把手の平面図である。
【発明を実施するための形態】
【００１９】
以下、本発明に係る点滴スタンドの把手の好ましい実施形態を添付した図面に従って説明する。図１、図２において、１は把手本体で、２は患者が持つための把手部、３は点滴スタンドの支柱（Ｐ）を挿通させる挿通部である。４は締付ハンドルで、前記把手本体１の外周面から前記挿通部３側に水平方向に貫通したネジ穴５に螺着するもので、この締付ハンドル４を締め付けることで、把手本体１を支柱（Ｐ）に固定することが出来るものである。なお、把手部２の形状は特に限定するものではなく、図示したＤ型環状のものに限らず、円状や鈎状、二叉状等のものであってもよい。
【００２０】
次に、６は把手本体１の挿通部３において、その内周面に面して把手本体１の外周側に設けた弾性部材収容部で、前記締付ハンドル４を螺着するネジ穴５はこの弾性部材収容部６に貫通している。この弾性部材収容部６には、当該挿通部３内に突出するように板状の弾性部材７を収容し、この弾性部材７は、前記締付ハンドル４のボルト部４ａの先端が外周側からその裏面に当接して、締付ハンドル４の締め付けによってその表面側が支柱（Ｐ）に当接してこれを押圧できるようにしている。これにより、支柱（Ｐ）には弾性部材が当接するので、従来のように当接部分に傷を付けることなく、把手本体１を確実に支柱（Ｐ）に固定することが出来る。
【００２１】
続いて、この点滴スタンドの把手の具体的構成をさらに説明する。図３に示すように、把手本体１は、上下一対の二つの半割体１ａ、１ｂからなり、適当箇所に設ける複数のボルト１ｃ、１ｃ・・・によって合体固定されている。また、把手本体１の挿通部３に面して、把手本体１の外周側に弾性部材収容部６が設けられ、この空所に弾性部材７を脱出しないように挟持して収容する。
【００２２】
弾性部材７は、ステンレス等からなる内側の剛性板７ａと、外側の合成ゴム等の弾力性素材からなる当板７ｂとからなり、挿通部３内に突出するように湾曲状に形成している。但し、その大きさは前記弾性部材収容部６の開口部の大きさより大きいものとし、上下一対の半割体１ａ、１ｂを合体させる際に前記弾性部材収容部６に収容し、合体後は該弾性部材収容部６から脱出することはない。上記締付ハンドル４のボルト部４ａはこの剛性板７ａに当接してこれを押圧する。なお、剛性板７ａを設けることで、ボルト部４ａが柔軟な弾力性素材からなる当板７ｂに直接当接しないので、押圧により穿孔されることが防止できる。また、弾力性素材からなる当板７ｂは、合成ゴムや軟質の合成プラスチック等、支柱を傷つけない素材とする。
【００２３】
また、８はネジ穴５を形成するネジ穴部材で、内側に前記締付ハンドル４のボルト部４ａが螺合するネジ溝を刻設している。このネジ穴部材８は、前記把手本体１の一対の半割体１ａ、１ｂを合体させる際に把手本体１の外側と弾性部材収容部６とが連通するように挟定する。
【００２４】
上記構成からなる点滴スタンドの把手は、その挿通部３を支柱（Ｐ）に挿通して使用する。そうすることで、支柱（Ｐ）に対して上下動が可能で、且つ、水平方向に回転可能であるので、看者の身長や体格に合わせて、その高さや向きを任意に設定することが可能となる。このとき、締付ハンドル４を締め付けることにより支柱（Ｐ）に固定するのであるが、締付ハンドル４を回転させボルト部４ａを前進させると、その先端は弾性部材７の裏面の剛性板７ａに当接してこれを押圧する。そうすると、弾性部材７の表面側の７ｂが支柱（Ｐ）に当接してこれを押圧し、把手本体１の全体が堅固に固定されることになる。このとき、支柱（Ｐ）には柔軟な弾力性素材からなる当板７ｂのみが当接するので、支柱（Ｐ）を傷つけることがない。
【００２５】
なお、本願の構成によれば、締付ハンドル４自体は従来と同様にその先端がむき出しのままでよいので、余分な加工が必要でなく、組立の作業効率もよい。
【００２６】
また、把手本体１は、上下一対の二つの半割体１ａ、１ｂで構成するので、弾性部材７の弾力性素材からなる当板７ｂが長年の使用で劣化した場合にも、交換が容易である。また、分解が容易であるので、把手本体１の殺菌・消毒処理も効果的に行うことが可能である。
【００２７】
さらに、応用例としては、把手本体１の色を変えることで、病棟やフロアごとの選別管理が可能であり、さらに半割体１ａ、１ｂの上下部材の色を個別に変えることで、選別の態様の種類を数多く設定できるという格別の効果も期待できる。
【符号の説明】
【００２８】
１    把手本体
１ａ、１ｂ  半割体
１ｃ  ボルト
２    把手部
３    挿通部
４    締付ハンドル
４ａ  ボルト部
５    ネジ穴
６    弾性部材収容部
７    弾性部材
７ａ  剛性板
７ｂ  弾力性素材からなる当板
８    ネジ穴部材
【図１】
2014033912.tif 000003
【図２】
2014033912.tif 000004
【図３】
2014033912.tif 000005
【図４】
2014033912.tif 000006